(57)【要約】【課題】光コードの抗張力体に弛みや偏りが発生しない安定した組立作業を行うことができると共に、光コードの外被が収縮しても光ファイバ心線の突き出しを抑制できる光コネクタを提供する。【解決手段】抗張力体を有する光コード１１を取り付ける光コネクタにおいて、ハウジング２０の後部に嵌合され、該ハウジング２０の後部に抗張力体を挟んで係合する仮固定部材３０と、該仮固定部材３０の外周に光コード１１の外被１５の肉厚分のクリアランスを有し、仮固定部材３０を覆うようにハウジング２０の後部に固定されるとともに、該ハウジング２０と一体的に抗張力体を固定する固定部材１３と、を備えている。【選択図】図２
2012194255.tif 000002
【特許請求の範囲】
【請求項１】
抗張力体を有する光コードを取り付ける光コネクタにおいて、
前記コネクタ本体の後部に嵌合され、該コネクタ本体の後部に抗張力体を挟んで係合する仮固定部材と、
該仮固定部材の外周に前記光コードの外被厚さ分の隙間を有し、前記仮固定部材を覆うように前記コネクタ本体の後部に固定されるとともに、該コネクタ本体と一体的に抗張力体を固定する固定部材と、
を備えることを特徴とする光コネクタ。
【請求項２】
請求項１記載の光コネクタであって、
前記コネクタ本体の後部は、前記光コードの外被を配置する外被用凹部を有することを特徴とする光コネクタ。
【請求項３】
請求項１又は２記載の光コネクタであって、
前記コネクタ本体の後部は、前記抗張力体を配置する抗張力体用凹部を有するとともに、
前記仮固定部材の前部は、内周面に該抗張力体用凹部に係合可能な抗張力体用凸部を有することを特徴とする光コネクタ。
【請求項４】
請求項１〜３のいずれかに記載の光コネクタであって、
前記抗張力体を固定する固定手段が、前記コネクタ本体の後部および前記固定部材の内周面に形成されたねじ部であることを特徴とする光コネクタ。
【請求項５】
請求項１〜３のいずれかに記載の光コネクタであって、
前記抗張力体を固定する固定手段が、前記コネクタ本体の後部と前記固定部材を圧着により固定することであることを特徴とする光コネクタ。
【発明の詳細な説明】
【技術分野】
【０００１】
本発明は、抗張力体を有する光コードを取り付ける光コネクタに関する。
【背景技術】
【０００２】
従来の光コネクタには、抗張力体を有する光コードの先端に組み立てられ、抗張力体を引き留める構造を有するものがある（特許文献１参照）。
抗張力体は、光ファイバの長手方向に沿って延在しており、光コネクタを組み立てる際には、抗張力体を光コネクタに固定している。抗張力体を光コネクタに固定する方法には、抗張力体を一様に広げて金属部品でかしめる方法と、ねじで締め付けて固定する方法がある。
【先行技術文献】
【特許文献】
【０００３】
【特許文献１】特開２００９−１０９９７８号公報
【発明の概要】
【発明が解決しようとする課題】
【０００４】
しかしながら、上記固定方法では、作業者が手作業で行うため、抗張力体を一様に広げたり、弛まないように引っ張る作業にバラツキが生じ、弛みや偏りが生じる。光コードの抗張力体に弛みや偏りがあると、光コードの引っ張りや曲げの特性が目標の性能に到達できない虞がある。
【０００５】
また、光コードの外被は、製造時の残留加工歪が緩和されると収縮する傾向がある。光コードの外被が光コネクタに固定されていると、この外被の収縮の逃げ場がないため、内部の心線が突き出る可能性がある。すなわち、光コードの外被が収縮すると、光コード内の光ファイバ心線が光コネクタ内に突き出てしまい、曲げ損失を誘発する虞がある。
【０００６】
本発明の目的は、上記課題に鑑みてなされたものであり、光コードの抗張力体に弛みや偏りが発生しない安定した組立作業を行うことができると共に、光コードの外被が収縮しても光ファイバ心線の突き出しを抑制できる光コネクタを提供することにある。
【課題を解決するための手段】
【０００７】
上記目的は、本発明に係る下記構成の光コネクタにより達成される。
（１）抗張力体を有する光コードを取り付ける光コネクタにおいて、前記コネクタ本体の後部に嵌合され、該コネクタ本体の後部に抗張力体を挟んで係合する仮固定部材と、該仮固定部材の外周に前記光コードの外被厚さ分の隙間を有し、前記仮固定部材を覆うように前記コネクタ本体の後部に固定されるとともに、該コネクタ本体と一体的に抗張力体を固定する固定部材と、を備えることを特徴としている。
【０００８】
前記構成の光コネクタによれば、コネクタ本体の後部に抗張力体を挟んで係合する仮固定部材と、その外周に光コードの外被厚さ分の隙間を有し、仮固定部材を覆うようにコネクタ本体の後部に固定される固定部材とを備えている。これにより、抗張力体を仮固定部材によりコネクタ本体に仮固定できるとともに、固定部材により抗張力体をコネクタ本体に本固定する際に、作業者が抗張力体から手を離すことができ、安定した光コネクタの組立作業を行うことができる。
【０００９】
（２）上記（１）に記載の光コネクタであって、前記コネクタ本体の後部は、前記光コードの外被を配置する外被用凹部を有することが好ましい。
前記構成の光コネクタによれば、外被を完全に固定していないので、外被が収縮した際に端部が収縮できるので、光ファイバ心線の突き出しを抑制できる。
【００１０】
（３）上記（１）又は（２）に記載の光コネクタであって、前記コネクタ本体の後部は、前記抗張力体を配置する抗張力体用凹部を有するとともに、前記仮固定部材の前部は、内周面に該抗張力体用凹部に係合可能な抗張力体用凸部を有することが好ましい。
前記構成の光コネクタによれば、仮固定部材がコネクタ本体の後部に強固に固定されるので、抗張力体を確実に仮固定することができる。
【００１１】
（４）上記（１）〜（３）のいずれかに記載の光コネクタであって、前記抗張力体を固定する固定手段が、前記コネクタ本体の後部および固定部材の内周面に形成されたねじ部であることが好ましい。
（５）上記（１）〜（３）のいずれかに記載の光コネクタであって、前記抗張力体を固定する固定手段が、前記コネクタ本体の後部と固定部材を圧着により固定することであることが好ましい。
前記いずれかの構成の光コネクタによれば、ねじ部または圧着によって抗張力体を固定するので、固定部材をコネクタ本体の後部に簡易な組立作業により確実に固定できる。
【発明の効果】
【００１２】
本発明に係る光コネクタによれば、コネクタ本体の後部に抗張力体を挟んで係合する仮固定部材と、その外周に光コードの外被厚さ分の隙間を有し、仮固定部材を覆うようにコネクタ本体の後部に固定される固定部材とを備えている。これにより、光コードの抗張力体に弛みや偏りが発生しない安定した組立作業を行うことができると共に、光コードの外被が収縮しても光ファイバ心線の突き出しを抑制することができる。
【図面の簡単な説明】
【００１３】
【図１】本発明に係る光コネクタの組立完了状態を示す外観斜視図である。
【図２】図１に示した光コネクタの組立途中の要部を示す分解斜視図である。
【図３】図２に示した要部の嵌合状態の斜視図である。
【図４】図２に示した光コードの抗張力体を示す斜視図である。
【図５】図３に示した光コードの抗張力体を示す斜視図である。
【図６】図１に示した光コネクタの片側縦断面図である。
【発明を実施するための形態】
【００１４】
以下、本発明の光コネクタの一実施形態を図１〜図５に基づいて説明する。
図１に示すように、本実施形態の光コネクタ１０は、メカニカルスプライスを収容・保持するコネクタ本体であるハウジング２０と、ハウジング２０の外側に装着され、コネクタ接続する際に摘む把持部１２と、ハウジング２０の後端に後述する抗張力体１６を有する光コード１１を固定する円筒状の固定部材１３と、該固定部１３の後端に装着され、光コード１１を挿通するブーツ部１４と、を備えている。
【００１５】
図２に示すように、本実施形態のハウジング２０の後端部には、固定部材１３が固定される第１固定部２１と、該第１固定部２１の後端に一体に形成され、後述する仮固定部材３０が固定される第２固定部２３と、中心軸上に光コード１１を挿通する挿通孔２４と、を有している。第１固定部２１は、外周に雄ねじ部２２を有している。
【００１６】
第２固定部２３は、外周部に複数の抗張力体用凹部２５を有している。この抗張力体用凹部２５によって多数の繊維体からなる抗張力体１６を略等分配される。抗張力体１６は、光コード１１の外被１５と光ファイバ心線１８との間に配置されており、外被１５を皮剥きすることで露出する（図４参照）。
【００１７】
仮固定部材３０は、第２固定部２３に外嵌され、ハウジング２０の後端部に抗張力体１６を挟んで係合する。仮固定部材３０は、中心軸上に光コード１１の外径に略等しく、該光コード１１が貫通する貫通孔３３と、外周上に該貫通孔３３に沿って延設され、光コード１１の外被１５の回転を防止する一対の回転防止リブ３４と、を有している。
【００１８】
回転防止リブ３４，３４間には、光コード１１の外被１５が配置される外被用凹部３１を有している。この外被用凹部３１により、固定部材１３の内周面との間に光コード１１の外被１５の肉厚分のクリアランスが形成される。この外被用凹部３１と回転防止リブ３４とにより、切込み１９によって光ファイバ心線１８から分離された光コード１１の外被１５の回転を確実に抑制できる。例えば、固定部材１３を第１固定部２１に固定する際に、ねじ部２２に抗張力体１６が引っ張られてもねじ部２２以外で捻じれる心配はない（図４参照）。
【００１９】
また、仮固定部材３０の内周には、上記第２固定部２３の抗張力体用凹部２５内に係合する抗張力体用凸部３５が形成されている。ハウジング２０の第２固定部２３に仮固定部材３０が嵌合することで、上記抗張力体用凸部３５と抗張力体用凹部２５が係合する。この係合により、光コード１１の抗張力体１６が抗張力体用凸部３５と抗張力体用凹部２５の間に仮固定される。
【００２０】
ハウジング２０の第２固定部２３と仮固定部材３０との嵌合構造は、第２固定部２３側の複数の抗張力体用凹部２５間に形成された係合突部２６と、仮固定部材３０側の複数の抗張力体用凸部３５間に形成された係合孔３２と、で形成されている。
【００２１】
図３に示すように、第２固定部２３の係合突部２６が仮固定部材３０の係合孔３２に係合することで、仮固定部材３０がハウジング２０の後端部に固定される。
【００２２】
固定部材１３は、仮固定部材３０の外周に光コード１１の外被１５の肉厚分のクリアランスを形成するとともに、仮固定部材３０を覆うようにハウジング２０の後端部に固定され、該ハウジング２０と一体的に抗張力体１６を固定する。固定部材１３の内周には、上記第１固定部２１の雄ねじ部２２と螺合する雌ねじ部１７が形成されている（図５参照）。
【００２３】
次に、光コード１１の抗張力体１６をハウジング２０に固定する光コネクタ１０の組立手順を説明する。
【００２４】
図２及び図４に示すように、先ず、所定長さの光ファイバ心線１８と抗張力体１６が露出され、外被１５端部に短い切込み１９を入れた光コード１１に、仮固定部材３０が外挿される。そして、光ファイバ心線１８がハウジング２０内に接続された後、抗張力体１６をハウジング２０の外周に揃える。このとき、第２固定部２３に形成された抗張力体用凹部２５内に略均等に分配するようにする。
【００２５】
図３及び図５に示すように、次に、仮固定部材３０を前方に移動させて、ハウジング２０の第２固定部２３に嵌合させる。このとき、第２固定部２３の抗張力体用凹部２５と係合突部２６に、仮固定部材３０側の抗張力体用凸部３５と係合孔３２を合わせて嵌め込む。その後、切込み１９を入れて２分割された外被１５を回転防止リブ３４間の外被用凹部３１上に摺動させる。これにより、抗張力体１６は、ハウジング２０に固定する前に、仮固定部材３０により仮固定される。
【００２６】
このとき、固定部材１３をハウジング２０の後端部にねじ締めする際に、抗張力体１６から作業者が手を離しても、抗張力体１６が弛んだり偏ったりする心配はない。したがって、作業者のスキルに差がある場合でも、安定した光コネクタ１０の組立作業を行うことができる。
【００２７】
図１及び図６に示すように、次に、固定部材１３を前方に移動させて、ハウジング２０の第１固定部２１の雄ねじ部２２に、固定部材１３の雌ねじ部１７を螺合させる。最後に、はみ出した抗張力体１６を切断して組立作業が完了する。これにより、抗張力体１６は、固定部材１３の螺合によりハウジング２０の後端部に本固定される。このとき、外被１５は弱い力で長手方向に若干摺動することができ、外被１５が収縮した場合に、光コード１１の端部も収縮できるので、光ファイバ心線１８の突出を押えることができる。
【００２８】
また、仮固定部材３０の一対の回転防止リブ３４により、光コード１１が捻じられても捻じれが抑制され、捻じれが元に戻るようになる。これにより、切込み１９により光ファイバ心線１８から分離された光コード１１の外被１５の回転を確実に抑制できるとともに、外被１５が完全に固定されていなくても、光コード１１の捻じれを防止することができる。
【００２９】
次に、上記実施形態の光コネクタの変形例を説明する。
上記実施形態と異なる点は、固定手段をねじ固定に変えてカシメ固定によって行う点である。すなわち、ハウジング２０の後部の第１固定部２１に固定部材１３を挿着してから、圧着治具により第１固定部２１と固定部材１３をカシメ固定する。これにより、仮固定部材３０により仮固定状態であった抗張力体１６を簡易な組立作業により強固に固定することができる。その他の構成は上記実施形態と同じであるので、説明は省略する。
【００３０】
なお、本発明の光コネクタは、上述した実施形態に限定されるものではなく、適宜、変形、改良等が自在である。その他、上述した実施形態における各構成要素の材質、形状、寸法、数値、形態、数、配置場所等は本発明を達成できるものであれば任意であり、限定されない。
【符号の説明】
【００３１】
１０…光コネクタ、１１…光コード、１３…固定部材、１４…ブーツ部、１５…外被、１６…抗張力体、１７…雌ねじ部、２０…ハウジング（コネクタ本体）、２１…第１固定部、２２…雄ねじ部、２３…第２固定部、２４…挿通孔、２５…抗張力体用凹部、２６…係合突部、３０…仮固定部材、３１…外被用凹部、３２…係合孔、３３…貫通孔、３４…回転防止リブ、３５…抗張力体用凸部
【図１】
2012194255.tif 000003
【図２】
2012194255.tif 000004
【図３】
2012194255.tif 000005
【図４】
2012194255.tif 000006
【図５】
2012194255.tif 000007
【図６】
2012194255.tif 000008